(57)【特許請求の範囲】
【請求項１】
壁に形成された開口部をリフォームする開口部のリフォーム方法であって、
前記開口部の見込部分の外側略半分には、サッシ枠が取り付けられており、
前記開口部の見込部分の内側略半分に、既存の枠が取り付けられており、この既存の枠の見込部分に新たな見込枠を取り付けるに際し、
断面Ｌ字状をなす長尺な窓見込調整材を用意しておき、
まず、前記開口部の見込部分に、窓見込調整材をその一方の片部が前記サッシ枠に当接し、かつ、他方の片部がサッシ枠から内側に突出するようにして取り付け、
次に、前記既存の枠の見込部分に新たな見込枠を、その一方の縁部が前記窓見込調整材の他方の片部に呑み込まれるようにして取り付けることを特徴とする開口部のリフォーム方法。
【請求項２】
請求項１記載の開口部のリフォーム方法において、
前記既存の枠の見込部分に前記新たな見込枠を取り付けた後、前記開口部の見付部分に新たな見付枠を、その一方の縁部を前記新たな見込枠に係合するようにして取り付けることを特徴とする開口部のリフォーム方法。
【請求項３】
請求項１又は２に記載の開口部のリフォーム方法において、
前記新たな見込枠および前記新たな見付枠を、セルロース系微粉粒と樹脂とを含む木質様材料を所要形状に押出成形することによって形成することを特徴とする開口部のリフォーム方法。
【発明の詳細な説明】
【０００１】
【発明の属する技術分野】
本発明は、壁に形成された開口部をリフォームする開口部のリフォーム方法に関するものである。
【０００２】
【背景の技術】
一般に、建物のリフォームや改築の際には、内外装部材（例えば、窓枠、屋内ドア枠およびそれらに付随する部材）の交換が行われる。従来、例えば、ドア枠や窓枠となるサッシを交換する際に、建物躯体と取り合う開口柱、横取付材や、外壁部分に取り合うシーリングや内装部分に取り合う室内窓枠などの内装材をいったん解体し、サッシ枠全部を交換する方法が採られている。この方法では、サッシ枠の取り外し工事や新たなサッシ枠の取付後の修復工事に多くの労力や手間を要するとともに、不要となった既存のサッシ枠および既存のサッシ枠とともに取り外された、サッシ枠周囲の外装材、内装材が廃棄物として排出される点が問題であった。
そこで、例えば、特開２００１−２３４６６７号公報に記載されているようにして開口部のリフォームを行っている。すなわち、建物の開口部の屋内側部分に取り付けられた既存のドア枠（既存の枠）に、調整材を取り付け、さらに、これら調整材および既存のドア枠の周囲を囲むようにして、下地材やリフォーム用ドア枠を取り付けている。
【０００３】
【発明が解決しようとする課題】
ところで、前記特開２００１−２３４６６７号公報において、前記リフォーム用ドア枠は、その内周の左右側面を形成するための中央ドア枠部（見込枠）と、この中央ドア枠部の左右の端部から、壁の両側面にそれぞれ延出するように設けられる２つの壁面ドア枠部（見付枠）と、この壁面ドア枠部の端部に取り付けられるカバー部材（見切材）とを備えている。
そして、前記既存ドア枠に取り付けられた壁面ドア枠部の端部と、既存ドア枠の端部とは、壁の側面に対して同じ位置まで延出しており、これら端部が前記カバー部材に当接することで隠され、これによって、外観を向上させるとともに、壁に確実に固定している。
しかし、前記カバー部材は、断面長方形状の長尺部材であり、さらに、壁面ドア枠部の端部と既存ドア枠の端部とが同じ位置まで延出しているため、カバー部材によって端部が隠されるとともに、壁に確実に固定されるようになっているが、例えば、前記壁面ドア枠部の長さが長く形成されており、既存ドア枠の端部よりも、壁面ドア枠部の端部が壁の側面に対して延出している場合には、カバー部材は、前記壁面ドア枠部の端部のみに当接することとなり、既存ドア枠の端部には当接しないため、壁面ドア枠部と壁との間には隙間が生じてしまい、また、カバー部材が壁に当接する面積が少ないため、これら既存ドア枠と壁面ドア枠とをより確実に固定することが難しかった。
【０００４】
本発明は、上記事情に鑑みてなされたもので、壁に形成された開口部をリフォームする際に、既存の枠を撤去することなく、新たな枠の取り付け作業を容易にかつ短期間で行うことが可能で、また、外観品質にも優れ、新たな枠を確実に開口部に取り付けることのできる開口部のリフォーム方法を提供することを課題としている。
【０００５】
【課題を解決するための手段】
上記課題を解決するために、請求項１の発明は、例えば、図２(a)〜(d)に示すように、壁２１に形成された開口部２２をリフォームする開口部２２のリフォーム方法であって、
前記開口部２２の見込部分の外側略半分には、サッシ枠２３が取り付けられており、
前記開口部２２の見込部分の内側略半分に、既存の枠２４が取り付けられており、この既存の枠２４の見込部分に新たな見込枠２６を取り付けるに際し、
断面Ｌ字状をなす長尺な窓見込調整材２５を用意しておき、
まず、前記開口部２２の見込部分に、窓見込調整材２５をその一方の片部２５aが前記サッシ枠２３に当接し、かつ、他方の片部２５bがサッシ枠２３から内側に突出するようにして取り付け、
次に、前記既存の枠２４の見込部分に新たな見込枠２６を、その一方の縁部２７aが前記窓見込調整材２５の他方の片部２５bに呑み込まれるようにして取り付けることを特徴とする。
【０００６】
請求項１の発明によれば、前記開口部２２の見込部分に、窓見込調整材２５をその一方の片部２５aが前記サッシ枠２３に当接し、かつ、他方の片部２５bがサッシ枠２３から内側に突出するようにして取り付け、次に、前記既存の枠２４の見込部分に新たな見込枠２６を、その一方の縁部２７aが前記窓見込調整材２５の他方の片部２５bに呑み込まれるようにして取り付けるので、前記既存の枠２４を撤去する必要がなく、その手間や労力を省くことができ、前記新たな見込枠２６を容易に、かつ短期間で取り付けることが可能となる。また、既存の枠２４を撤去することによって出される廃棄物の量も減らすことができる。
【０００７】
また、前記窓見込調整材２５の一方の片部２５aをサッシ枠２３に当接し、他方の片部２５bを前記新たな見込枠２６の一方の縁部２７aを呑み込むようにして取り付けることによって、新たな見込枠２６とサッシ枠２３との間に生じる隙間を隠すことができる。つまり、例えば、開口部２２の幅が広く、新たな見込枠２６の長さが短い場合でも、この窓見込調整材２５の他方の片部２５bによって、前記隙間の調整を容易に行うことができる。したがって、前記新たな見込枠２６の一方の縁部２７aが外側からは見えることがなく、外観品質に優れる。
さらに、前記新たな見込枠２６を、既存の枠２４にぐらつくことなく確実に取り付けることができ、また、前記新たな見込枠２６の位置決めも容易となる。
【０００８】
請求項２の発明は、例えば、図２(a)〜(d)に示すように、請求項１記載の開口部２２のリフォーム方法において、
前記既存の枠２４の見込部分に前記新たな見込枠２６を取り付けた後、前記開口部２２の見付部分に新たな見付枠２９を、その一方の縁部（例えば、係合部３１a）を前記新たな見込枠２６に係合するようにして取り付けることを特徴とする。
【０００９】
請求項２の発明によれば、前記開口部２２の見付部分に新たな見付枠２９を、その一方の縁部３１aを前記新たな見込枠２６に係合するようにして取り付けるので、前記新たな見付枠２９の取付作業を容易にかつ短期間で行うことが可能となる。
【００１０】
請求項３の発明は、例えば、図１に示すように、請求項１又は２に記載の開口部２２のリフォーム方法において、
前記新たな見込枠２６および前記新たな見付枠２９を、セルロース系微粉粒と樹脂とを含む木質様材料を所要形状に押出成形することによって形成することを特徴とする。
【００１１】
請求項３の発明によれば、前記新たな見込枠２６および前記新たな見付枠２９を、前記木質様材料を押出成形することによって形成するので、木質感のある新たな見込枠２６や見付枠２９とすることができ、よって、開口部２周囲の外観品質をより一層向上させることができる。
【００１２】
前記セルロース系微粉粒とは、例えば、木材、バカス、稲藁等の天然木材を粉砕することによって得られる。
前記樹脂とは、例えば、天然木材を粉砕することによって得られ、塩化ビニル樹脂、発泡塩化ビニル樹脂、ポリエチレン樹脂、フェノール樹脂、ウレタン樹脂、ポリウレタン樹脂、ＡＢＳ樹脂、ポリスチレン樹脂等が挙げられる。
【００１３】
【発明の実施の形態】
以下、本発明の実施の形態を図面に基づいて説明する。
図１は、本発明の実施の形態を示すためのもので、開口部に新たな枠が取り付けられた構造の要部を示す斜視図、図２(a)〜(d)は、開口部のリフォーム方法を示す開口部の縦断面図である。
図１および図２(a)に示すように、建物の壁２１に開口部２２が形成されており、この開口部２２には、例えば、窓（図示しない）等が取り付けられるようになっている。
前記開口部２２の見付部分の外側略半分には、サッシ枠２３が外壁面に跨るようにして取り付けられており、内側略半分には、既存の枠２４が取り付けられている。
前記既存の枠２４としては、例えば、化粧枠が挙げられ、断面Ｌ字状をなしており、一方の片部２４aが開口部２２の内周面に固定されており、他方の片部２４bが開口部２２の内壁面に固定されている。
【００１４】
まず、図２(a)に示すように、断面Ｌ字状をなす長尺な窓見込調整材２５を用意しておき、開口部２２の見込部分に窓見込調整材２５をその一方の片部２５aが、サッシ枠２３に当接し、かつ、他方の片部２５bがサッシ枠２３から内側に突出するようにして取り付ける。
【００１５】
次に、図２(b)に示すように、前記既存の枠２４の見込部分に、新たな見込枠２６を取り付ける。この新たな見込枠２６は、見込枠本体２７と、この見込枠本体２７がはめ込まれる見込枠下地部材２８とを備えている。
前記見込枠下地部材２８の一方の縁部には、後述する見付枠２９に係合する係合部２８aが形成されている。
そして、この見込枠下地部材２８に見込枠本体２７をはめ込み、見込枠２６としたうえで既存の枠２４の見込部分に取り付ける。すなわち、見込枠本体２７の一方の縁部２７aが前記窓見込調整材２５の他方の片部２５bに呑み込まれるようにして設けることによって、この見込枠２６を取り付ける。
【００１６】
次に、図２(c)に示すように、前記既存の枠２４の見付部分に、新たな見付枠２９を取り付ける。
前記新たな見付枠２９は、見付枠本体３０と、この見付枠本体３０がはめ込まれる見付枠下地部材３１とを備えている。
前記見付枠下地部材３１の一方の縁部には、前記見込枠２６に係合する係合部３１aが形成されている。
そして、この見付枠下地部材３１に見付枠本体３０をはめ込み、見付枠２９としたうえで既存の枠２４の見付部分に取り付ける。すなわち、見付枠下地部材３１の係合部３１aを、見込枠下地部材２８の係合部２８aに係合し、見付枠本体３０を、見込枠本体２７の他方の縁部２７bに当接することによって、この見付枠２９を取り付ける（図２(d)参照）。
【００１７】
本発明の実施の形態によれば、開口部２２の見込部分に、窓見込調整材２５を、その一方の片部２５aがサッシ枠２３に当接し、かつ、他方の片部２５bがサッシ枠２３から内側に突出するようにして取り付け、次に、既存の枠２４の見込部分に新たな見込枠２６を、その一方の縁部２７aが窓見込調整材２５の他方の片部２５bに呑み込まれるようにして取り付け、次いで、既存の枠２４の見付部分に新たな見付枠２９を、その一方の縁部３１aを新たな見込枠２６に係合するようにして取り付けるので、既存の枠２４を撤去する必要がなく、新たな見込枠２６および見付枠２９を容易に、かつ、短期間で取り付けることが可能となる。また、既存の枠２４を撤去することによって出される廃棄物の量も減らすことができる。
【００１８】
また、窓見込調整材２５によって、新たな見込枠２６とサッシ枠２３との間に生じる隙間を隠すことができる。つまり、例えば、開口部２２の幅が広く、新たな見込枠２６の長さが短い場合でも、この窓見込調整材２５の他方の片部２５bによって前記隙間の調整を容易に行うことができる。したがって、新たな見込枠２６の一方の縁部２７aが外側からは見えることがなく、外観品質に優れる。また、新たな見込枠２６を既存の枠２４にぐらつくことなく確実に取り付けることができ、新たな見込枠２６の位置決めも容易となる。
【００１９】
なお、本発明の実施の形態において、前記新たな見込枠２６および新たな見付枠２９は、セルロース系微粉粒と樹脂とを含む木質様材料を所要形状に押出成形することによって形成する。
つまり、前記セルロース系微粉粒は、例えば、木材、バカス、稲藁等の天然木材を周知の粉砕機で粉砕することによって得られ、前記樹脂は、例えば、天然木材を周知の粉砕機で粉砕することによって得られ、塩化ビニル樹脂、発泡塩化ビニル樹脂、ポリエチレン樹脂、フェノール樹脂、ウレタン樹脂、ポリウレタン樹脂、ＡＢＳ樹脂、ポリスチレン樹脂等が挙げられる。
また、上記窓見込調整材２５も、同様に木質様材料を押出成形することによって形成しても良い。
このように、新たな見込枠２６や見付枠２９、窓見込調整材２５を木質様材料で形成することによって、これらの部材の表面に木粉があらわれて木質感のある部材とすることができ、よって、開口部２２周囲の外観品質をより一層向上させることができる。
【００２０】
【発明の効果】
請求項１の発明によれば、前記新たな見込枠を容易に、かつ短期間で取り付けることが可能となる。
また、前記新たな見込枠とサッシ枠との間に生じる隙間を、前記窓見込調整材によって隠すことができるとともに、前記新たな見込枠の一方の縁部が外側からは見えることがなく、外観品質に優れる。さらに、前記新たな見込枠を既存の枠にぐらつくことなく確実に取り付けることができる。
【００２１】
請求項２の発明によれば、請求項１と同様の効果を得ることができるのは勿論のこと、前記新たな見付枠の取付作業を容易にかつ短期間で行うことが可能となる。
【００２２】
請求項３の発明によれば、請求項１又は２と同様の効果を得ることができるのは勿論のこと、木質感のある新たな見込枠や見付枠とすることができ、よって、開口部周囲の外観品質をより一層向上させることができる。
【図面の簡単な説明】
【図１】  本発明の実施の形態を示すためのもので、開口部に新たな枠が取り付けられた構造の要部を示す斜視図である。
【図２】  同、(a)〜(d)は、開口部のリフォーム方法を示す開口部の縦断面図である。
【符号の説明】
２１  壁
２２  開口部
２４  既存の枠
２６  新たな見込枠
２５a  一方の片部
２５b  他方の片部
２９  新たな見付枠
３１a  一方の縁部
２３  サッシ枠
２５  窓見込調整材
【図１】
0003911414.tif 000002
【図２】
0003911414.tif 000003